(57)【要約】【課題】  手袋内においてある程度の指の自由度を確保しつつチューブ類の自己抜去を防止可能なミトン付き着衣を提供すること。【解決手段】  一対の長袖部２を有する着衣本体３と、長袖部２の先端に設けられ手首から指先までを収納可能なミトン部４と、を備え、ミトン部４が、挿入される手の手首から指先までの全体を直接覆う内側ミトンと、該内側ミトンを覆うと共に長袖部２の先端に接続されている外側ミトン６と、で構成され、内側ミトンが、手の掌側に設けられ内部に緩衝材が収納されたクッション部と手の甲側に設けられた内側メッシュ生地部とで袋状に形成され、外側ミトン６が、手の掌側に設けられた板状部１１と手の甲側に設けられた外側メッシュ生地部１２とで袋状に形成されている。【選択図】      図１
0003162643.tif 000002
【実用新案登録請求の範囲】
【請求項１】
一対の長袖部を有する着衣本体と、
前記長袖部の先端に設けられ手首から指先までを収納可能なミトン部と、を備え、
前記ミトン部が、挿入される手の手首から指先までの全体を直接覆う内側ミトンと、該内側ミトンを覆うと共に前記長袖部の先端に接続されている外側ミトンと、で構成され、
前記内側ミトンが、前記手の掌側に設けられ内部に緩衝材が収納されたクッション部と前記手の甲側に設けられた内側メッシュ生地部とで袋状に形成され、
前記外側ミトンが、前記手の掌側に設けられた板状部と前記手の甲側に設けられた外側メッシュ生地部とで袋状に形成されていることを特徴とするミトン付き着衣。
【請求項２】
請求項１に記載のミトン付き着衣において、
前記着衣本体の首回り部分から前記長袖部と前記外側ミトンとの接続部まで前記長袖部の長さ方向に延在して開閉可能なファスナー部を備えていることを特徴とするミトン付き着衣。
【請求項３】
請求項１または２に記載のミトン付き着衣において、
前記内側ミトンが、前記手の親指と他の指との間に相当する領域に設けられ前記クッション部と前記内側メッシュ生地部との一部を線状に接合して前記手の親指と他の指との間の領域を仕切る仕切り部を有していることを特徴とするミトン付き着衣。
【請求項４】
請求項１から３のいずれか一項に記載のミトン付き着衣において、
前記外側ミトンが、少なくとも前記手の親指の指先部分から人差し指の指先部分までの上部に相当する領域に前記外側メッシュ生地部よりも硬質な厚布部を備えていることを特徴とするミトン付き着衣。
【請求項５】
請求項２に記載のミトン付き着衣において、
前記ファスナー部が、２個のスライダーを有することを特徴とするミトン付き着衣。
【考案の詳細な説明】
【技術分野】
【０００１】
本考案は、点滴等のチューブ類を患者等が自己抜去することを防止するためのミトン付き着衣に関する。
【背景技術】
【０００２】
カテーテルや投薬チューブ等のチューブ類が留置された患者において、特に認知症の高齢者等の場合、自分でチューブ類を抜いてしまう自己抜去がしばしば問題になる。この対策として、自己抜去し難い状況を作る必要があるが、患者の身体を完全に拘束してしまうことは患者に多大な苦痛を与えてしまう不都合がある。このため、患者にある程度の自由度を確保しながらも自己抜去を防ぐことができる着衣が提案されている。
【０００３】
例えば、従来、特許文献１には、両袖の先にそれぞれ指のない手袋を延設し、手首の部分で袖をつぼめるための紐を取り付け、裾丈を胸までと短くして裾の下端から手袋に隣接して袖の下側（脇下側）に開閉自在なスライドファスナーおよび介護口を設けてなる手袋付き着衣が提案されている。この手袋付き着衣は、手袋と着衣とが一体になっているので、患者等の被介護者が手袋を取ることが難しいと共に手で細かい作業ができなくなり、チューブ類を自ら外し難くしたものである。また、この手袋付き着衣は胸より下の裾がないため、着たり脱がせたりすることが容易である。
【先行技術文献】
【特許文献】
【０００４】
【特許文献１】実用新案登録第３０７９２５５号公報
【考案の概要】
【考案が解決しようとする課題】
【０００５】
上記従来の技術には、以下の課題が残されている。
従来の技術では、指が個々に入るように枝分かれしていない単一の袋状の手袋、すなわちミトン状の手袋を両袖に設けて手袋内での指の自由を確保しているが、手袋が布であるため変形しやすく、手袋を介して内部の指でチューブ類を掴んだり摘んだりすることが可能であった。このため、患者が手袋付き着衣を着ていても、手袋のままチューブ類を掴んで引き抜いてしまうという問題を十分には防止できなかった。
【０００６】
本考案は、前述の課題に鑑みてなされたもので、手袋内においてある程度の指の自由度を確保しつつチューブ類の自己抜去を防止可能とし、手袋に通気性と透明性を持たせて蒸れをなくし、かつ手の状態を容易に観察できるミトン付き着衣を提供することを目的とする。また、通常の裾丈のある着衣でも、仰臥位で寝た状態あるいは麻痺や拘縮のある患者の着衣の着脱を容易にし、さらにチューブの着脱や状態観察、血圧測定などが容易なミトン付き着衣を提供することを目的とする。
【課題を解決するための手段】
【０００７】
本考案は、前記課題を解決するために以下の構成を採用した。すなわち、本考案のミトン付き着衣は、一対の長袖部を有する着衣本体と、前記長袖部の先端に設けられ手首から指先までを収納可能なミトン部と、を備え、前記ミトン部が、挿入される手の手首から指先までの全体を直接覆う内側ミトンと、該内側ミトンを覆うと共に前記長袖部の先端に接続されている外側ミトンと、で構成され、前記内側ミトンが、前記手の掌側に設けられ内部に緩衝材が収納されたクッション部と前記手の甲側に設けられた内側メッシュ生地部とで袋状に形成され、前記外側ミトンが、前記手の掌側に設けられた板状部と前記手の甲側に設けられた外側メッシュ生地部とで袋状に形成されていることを特徴とする。
【０００８】
このミトン付き着衣では、内側ミトンが、手の掌側に設けられ内部に緩衝材が収納されたクッション部と手の甲側に設けられた内側メッシュ生地部とで袋状に形成され、外側ミトンが、手の掌側に設けられた板状部と手の甲側に設けられた外側メッシュ生地部とで袋状に形成されているので、手を握ろうとしたり指を閉じて外部のチューブ類を摘もうとすると内側ミトンのクッション部が邪魔になると共に、外側ミトンの板状部が撓みにくいため、チューブ類を掴んだり摘むことを防ぐことができる。また、掌側に緩衝材が収納されたクッション部が設けられているので、指の動きにある程度の自由度が確保されており、患者に指が拘束されているような不快感を与え難い。さらに、外側ミトンと内側ミトンとの隙間をクッション部が埋めるため、挿入した手を反転させ難くなり、手を反転させて内側メッシュ生地部および外側メッシュ生地部を介してチューブ類を掴むことを防ぐことができる。また、手の甲側に内側メッシュ生地部と外側メッシュ生地部とが設けられているので、通気性に優れ、蒸れなど抑制することができ、さらにメッシュの隙間を通して手の状態を容易に観察できるので、手の腫れや湿疹、出血などの手のトラブルをいち早く発見することができる。
したがって、クッション部および内側メッシュ生地部を有する内側ミトンと、板状部および外側メッシュ生地部を有する外側ミトンとの二重構造のミトン部によって、指のある程度の自由度とチューブ類の自己抜去防止と高い通気性とを得ることができ、メッシュの透明性により手のトラブルもいち早く発見することができる。
【０００９】
また、本考案のミトン付き着衣は、前記内側ミトンが、前記手の親指と他の指との間に相当する領域に設けられ前記クッション部と前記内側メッシュ生地部との一部を線状に接合して前記手の親指と他の指との間の領域を仕切る仕切り部を有していることを特徴とする。
すなわち、このミトン付き着衣では、内側ミトンが、手の親指と他の指との間に相当する領域に設けられクッション部と内側メッシュ生地部との一部を線状に接合して手の親指と他の指との間の領域を仕切る仕切り部を有しているので、仕切り部によって手の反転をさらに防ぐことができる。また、流動性の緩衝材を採用した場合、親指と他の指との間で緩衝材の移動が仕切り部で抑制されるため、手で握る動作がある程度抑制され、これによってもチューブ類を掴み難くしている。
【００１０】
また、本考案のミトン付き着衣は、前記外側ミトンが、少なくとも前記手の親指の指先部分から人差し指の指先部分までの上部に相当する領域に前記外側メッシュ生地部よりも硬質な厚布部を備えていることを特徴とする。
すなわち、このミトン付き着衣では、外側ミトンが、少なくとも手の親指の指先部分から人差し指の指先部分までの上部に相当する領域に外側メッシュ生地部よりも硬質な厚布部を備えているので、親指と人差し指とで上方の柔軟な内側メッシュ生地部および外側メッシュ生地部を介してチューブ類を摘もうとしても、撓み難い硬質な厚布部によって防ぐことができる。
【００１１】
また、本考案のミトン付き着衣は、前記着衣本体の首回り部分から前記長袖部と前記外側ミトンとの接続部まで前記長袖部の長さ方向に延在して開閉可能なファスナー部を備えていることを特徴とする。
すなわち、このミトン付き着衣では、着衣本体の首回り部分から長袖部と外側ミトンとの接続部まで長袖部の長さ方向に延在して開閉可能なファスナー部を備えているので、普通の裾丈のある着衣でも袖全体を開放させることが可能になり、仰臥位で寝た状態あるいは麻痺や拘縮のある患者でも着衣の着脱が容易である。また、ミトン付き着衣を身につけたままでも、ファスナー部を開けてチューブ類の着脱、状態観察または血圧測定等が容易になる。
【００１２】
さらに、本考案のミトン付き着衣は、前記ファスナー部が、２個のスライダーを有しているので、２個のスライダーを移動させることにより開閉が任意の位置で可能になり、チューブ類の挿入箇所も適宜変更し任意の位置に設定することができる。
【考案の効果】
【００１３】
本考案によれば、以下の効果を奏する。
すなわち、本考案に係るミトン付き着衣によれば、内側ミトンが、手の掌側に設けられ内部に緩衝材が収納されたクッション部と手の甲側に設けられた内側メッシュ生地部とで袋状に形成され、外側ミトンが、手の掌側に設けられた板状部と手の甲側に設けられた外側メッシュ生地部とで袋状に形成されているので、指のある程度の自由度および通気性等を確保しつつチューブ類を掴んだり摘むことを防止できる。したがって、本考案のミトン付き着衣を採用することにより、不快感などを低減しつつ、痴呆症の高齢者等の患者がチューブ類を自己抜去することを効果的に防止可能である。内側メッシュおよび外側メッシュは通気性を確保して蒸れをなくすだけでなく、メッシュの隙間を通して手の観察が容易なため、手の腫れや湿疹、出血などのトラブルをいち早く発見できる利点がある。
【００１４】
また、本考案のミトン付き着衣は、首回り部分からミトンの接続部まで前記長袖部の長さ方向に延在して開閉可能なファスナー部を備え、さらにファスナー部が２個のスライダーを有しているため、着衣の着脱およびチューブ類の着脱、状態観察または血圧測定等が容易であり、チューブ類の挿入箇所も任意の位置に設定することができる。
【図面の簡単な説明】
【００１５】
【図１】本考案に係る一実施形態のミトン付き着衣を示す正面図である。
【図２】本実施形態のミトン付き着衣を示す背面図（左袖省略）である。
【図３】本実施形態において、内側ミトンを示す正面図（甲側）（ａ）および背面図（掌側）（ｂ）である。
【図４】本実施形態において、手を挿入した状態での左右の内側ミトンを示す正面図である。
【図５】図１のＡ−Ａ線断面図である。
【図６】本実施形態において、長袖部を絞るテープ部を示す斜視図である。
【考案を実施するための形態】
【００１６】
以下、本考案に係るミトン付き着衣の一実施形態を、図１から図６を参照しながら説明する。なお、以下の説明に用いる各図面では、各部を認識可能又は認識容易な大きさとするために必要に応じて縮尺を適宜変更している。
【００１７】
本実施形態のミトン付き着衣１は、図１から図５に示すように、一対の長袖部２を有する着衣本体３と、長袖部２の先端に設けられ手首から指先までを収納可能なミトン部４と、を備え、ミトン部４が、挿入される手Ｈの手首から指先までの全体を直接覆う内側ミトン５と、該内側ミトン５を覆うと共に長袖部の先端に接続されている外側ミトン６と、で構成されている。
【００１８】
上記着衣本体３は、前開き式であり、前合わせをした状態で結ぶことができるように取り付けられた複数の前合わせ用紐３ａと、前合わせをした状態で互いに着脱自在な前合わせ用面ファスナー３ｂとが設けられている。
この着衣本体３の背面は、図２に示すように、通気性と透明性とを確保するためにナイロン製のメッシュ生地（いわゆるパワーネット）で形成された背面メッシュ部３ｃとなっている。
【００１９】
上記長袖部２は、先端の外側ミトン６との接続部分近傍にテープ状の袖口用面ファスナー２ａが取り付けられている。この袖口用面ファスナー２ａは、図６に示すように、長袖部２に取り付けられたＤ字型金具２ｂに基端が取り付けられ、長袖部２外周を一周させた状態でＤ字型金具２ｂに先端側を挿通させ自己に接着させることで、ミトン部４に挿入された手Ｈを長袖部２内に引き込ませないように手首近傍の袖口を絞ることが可能になっている。
なお、長袖部２には、手Ｈの動きを規制しなければならない場合に使用する環状紐のリード２ｃが取り付けられている。
【００２０】
上記内側ミトン５は、図３から図５に示すように、上記手の掌側に設けられ内部に緩衝材Ｂが収納されたクッション部８と上記手の甲側に設けられた内側メッシュ生地部９とで袋状に形成されている。すなわち、これらクッション部８と内側メッシュ生地部９とは、手Ｈの挿入口５ａを除いて外周が縫い込まれて袋状になっている。なお、本実施形態では、緩衝材Ｂとして粒状緩衝材のマイクロビーズを採用しているが、砂状や液状等の流動性を有するもの又はスポンジ等のクッション材でも構わない。
【００２１】
また、クッション部８の外側面であって挿入口５ａ近傍には、テープ状のミトン用面ファスナー１０が取り付けられている。このミトン用面ファスナー１０は、内側ミトン５の挿入口５ａから手Ｈを入れた状態で内側ミトン５の外周を絞るようにして両端を互いに接着させることで、内側ミトン５を手Ｈに固定することが可能になっている。
【００２２】
上記内側ミトン５は、上記手Ｈの親指と他の指との間に相当する領域に設けられクッション部８と内側メッシュ生地部９との一部を線状に接合して上記手Ｈの親指と他の指との間の領域を仕切る仕切り部９ａを有している。この仕切り部９ａは、クッション部８と内側メッシュ生地部９とを互いに縫いつけたものであり、外周縁から中央側に向けて線状に延在している。
【００２３】
上記外側ミトン６は、上記手の掌側に設けられた板状部１１と上記手の甲側に設けられた外側メッシュ生地部１２とで袋状に形成されている。この外側ミトン６は、内側ミトン５を装着した手Ｈを余裕をもって挿入可能にするため、内側ミトン５よりも大きめに設定されている。
上記板状部１１は、厚いフェルト材で形成されたものであり、先端側が円弧状とされている。この板状部１１は、挿入された手Ｈの通常の力では撓みにくい硬さを有している。
【００２４】
上記外側ミトン６は、少なくとも上記手Ｈの親指の指先部分から人差し指の指先部分までの上部に相当する領域に外側メッシュ生地部１２よりも硬質な厚布部１３を備えている。本実施形態の厚布部１３は、長袖部２との接続部分を除いた板状部１１の外周縁に沿って帯状に配され、挿入した手Ｈの指先上に位置するように設けられている。
【００２５】
また、このミトン付き着衣１は、上記着衣本体３の首回り部分から肩口を介して長袖部２と外側ミトン６との接続部まで長袖部２の長さ方向に延在して開閉可能なファスナー部１４を備えている。このファスナー部１４としては、２つのスライダー１４ａが取り付けられた線ファスナーが採用されている。このファスナー部１４では、２つのスライダー１４ａが取り付けられているので、開閉位置を任意に設定することができる。なお、このファスナー部１４は、やや正面側（前側）に配置されており、患者が仰向けに寝ている状態でも開閉操作がし易く、また横向きに寝てもファスナーが腕の下にこないようになっている。
【００２６】
このように本実施形態のミトン付き着衣１では、内側ミトン５が、挿入された手の掌側に設けられ内部に緩衝材Ｂが収納されたクッション部８と手の甲側に設けられた内側メッシュ生地部９とで袋状に形成され、外側ミトン６が、手の掌側に設けられた板状部１１と手の甲側に設けられた外側メッシュ生地部１２とで袋状に形成されているので、手Ｈを握ろうとしたり指を閉じて外部のチューブ類を摘もうとすると内側ミトン５のクッション部８が邪魔になると共に、外側ミトン６の板状部が撓みにくいため、チューブ類を掴んだり摘むことを防ぐことができる。
【００２７】
また、掌側に緩衝材Ｂが収納されたクッション部８が設けられているので、指の動きにある程度の自由度が確保されており、患者に指が拘束されているような不快感を与え難い。さらに、外側ミトン６と内側ミトン５との隙間をクッション部８が埋めるため、挿入した手Ｈを反転させ難くなり、手Ｈを反転させて内側メッシュ生地部９および外側メッシュ生地部１２を介してチューブ類を掴むことを防ぐことができる。
【００２８】
特に、内側ミトン５が、手Ｈの親指と他の指との間に相当する領域に設けられクッション部８と内側メッシュ生地部９との一部を線状に接合して手Ｈの親指と他の指との間の領域を仕切る仕切り部９ａを有しているので、仕切り部９ａによって手Ｈの反転をさらに防ぐことができる。また、流動性の緩衝材Ｂを採用した場合、親指と他の指との間で緩衝材Ｂの移動が仕切り部９ａで抑制されるため、手Ｈで握る動作がある程度抑制され、これによってもチューブ類を掴み難くしている。
【００２９】
また、手の甲側に内側メッシュ生地部９と外側メッシュ生地部１２とが設けられているので、通気性に優れ、蒸れなどを抑制することができ、かつメッシュの隙間を通して手の観察が容易なため、手の腫れや湿疹、出欠などのトラブルをいち早く発見できる。
したがって、クッション部８および内側メッシュ生地部９を有する内側ミトン５と、板状部１１および外側メッシュ生地部１２を有する外側ミトン６との二重構造のミトン部４によって、指のある程度の自由度とチューブ類の自己抜去防止と高い通気性と透明性とを得ることができる。なお、外側ミトン６のみが長袖部２に接続されているので、患者の手Ｈの大きさに合わせて内側ミトン５のみを適応したサイズに適宜変更するができる。
【００３０】
また、着衣本体３の首回り部分から長袖部２と外側ミトン６との接続部まで長袖部２の長さ方向に延在して開閉可能なファスナー部１４を備えており、長袖部２を首回りからミトン接続部近くまで開放できるので、普通の裾丈のある着衣でも、仰臥位で寝た状態あるいは麻痺や拘縮のある患者の着衣の着脱が容易であり、ミトン付き着衣１を身につけたままでも、ファスナー部１４を開けてチューブ類の着脱、状態観察または血圧測定等が容易になる。
【００３１】
また、ファスナー部１４が、２個のスライダー１４ａを有しているので、２個のスライダー１４ａを移動させることにより開閉が任意の位置で可能になり、チューブ類の挿入箇所も適宜変更し任意の位置に設定することができる。なお、ファスナー部１４としては、上述した２つのスライダー１４ａを有した線ファスナーが好ましいが、他の線ファスナー、面ファスナー等の種々のファスナーが採用可能である。
【００３２】
さらに、外側ミトン６が、少なくとも手Ｈの親指の指先部分から人差し指の指先部分までの上部に相当する領域に外側メッシュ生地部１２よりも硬質な厚布部１３を備えているので、親指と人差し指とで上方の柔軟な内側メッシュ生地部９および外側メッシュ生地部１２を介してチューブ類を摘もうとしても、撓み難い硬質な厚布部１３によって防ぐことができる。
【００３３】
なお、本考案の技術範囲は上記実施形態に限定されるものではなく、本考案の趣旨を逸脱しない範囲において種々の変更を加えることが可能である。
【符号の説明】
【００３４】
１…ミトン付き着衣、２…長袖部、３…着衣本体、４…ミトン部、５…内側ミトン、６…外側ミトン、８…クッション部、９…内側メッシュ生地部、９ａ…仕切り部、１１…板状部、１２…外側メッシュ生地部、１３…厚布部、１４…ファスナー部、１４ａ…スライダー、Ｂ…緩衝材、Ｈ…手
【図１】
0003162643.tif 000003
【図２】
0003162643.tif 000004
【図３】
0003162643.tif 000005
【図４】
0003162643.tif 000006
【図５】
0003162643.tif 000007
【図６】
0003162643.tif 000008